【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
ショッピングサイトを提供するサーバ装置であって、
税区分の１種であって商品の単価に税金を含むことを意味する内税、前記税区分の１種であって商品の単価に税金を含まないことを意味する外税、および、前記税区分の１種であって課税されないことを意味する非課税、のうち少なくとも２種類の前記税区分と、１種類以上の税率と、前記税区分および税率の組み合わせごとに異なる識別子と、が関連付けて記憶された税マスタから情報を取得する税情報取得手段と、
商品を特定する商品情報と、商品の単価と、当該単価に合致する前記税区分および税率と関連付けられた前記識別子と、が関連付けて記憶された商品マスタから情報を取得する商品情報取得手段と、
前記ショッピングサイトの商品紹介画面に表示させる商品の１つあたりの価格として、税金を含んだ数値および税金を含まない数値の両方または一方を表示させるための指定を、入力エリアの任意の位置への編集操作により受け付ける売価表示設定手段と、
前記商品紹介画面の表示にあたって、商品の１つあたりの価格を、前記売価表示設定手段が受け付けた指定と、前記商品情報取得手段が取得した情報のうち単価および前記識別子と、前記税情報取得手段が取得した情報とに基づいて算出する売価算出手段と、
を備えるサーバ装置。
【請求項２】
前記売価表示設定手段は、前記商品紹介画面の体裁を記録したテンプレートを記憶する記憶部にアクセス可能であって、前記記憶部から前記テンプレートを取得し、当該テンプレートを前記指定により改変し、当該改変後のテンプレートを、前記記憶部に上書き保存または新規登録する
請求項１に記載のサーバ装置。
【請求項３】
前記テンプレートは、商品の画像を表示するエリアの位置ないし大きさの設定をも含む
請求項２に記載のサーバ装置。
【請求項４】
ショッピングサイトを提供するサーバ装置のコンピュータを、
税区分の１種であって商品の単価に税金を含むことを意味する内税、前記税区分の１種であって商品の単価に税金を含まないことを意味する外税、および、前記税区分の１種であって課税されないことを意味する非課税、のうち少なくとも２種類の前記税区分と、１種類以上の税率と、前記税区分および税率の組み合わせごとに異なる識別子と、が関連付けて記憶された税マスタから情報を取得する税情報取得手段と、
商品を特定する商品情報と、商品の単価と、当該単価に合致する前記税区分および税率と関連付けられた前記識別子と、が関連付けて記憶された商品マスタから情報を取得する商品情報取得手段と、
前記ショッピングサイトの商品紹介画面に表示させる商品の１つあたりの価格として、税金を含んだ数値および税金を含まない数値の両方または一方を表示させるための指定を、入力エリアの任意の位置への編集操作により受け付ける売価表示設定手段と、
前記商品紹介画面の表示にあたって、商品の１つあたりの価格を、前記売価表示設定手段が受け付けた指定と、前記商品情報取得手段が取得した情報のうち単価および前記識別子と、前記税情報取得手段が取得した情報とに基づいて算出する売価算出手段と、
として機能させるプログラム。
【請求項５】
ショッピングサイトを提供する商品データ設定システムであって、
税区分の１種であって商品の単価に税金を含むことを意味する内税、前記税区分の１種であって商品の単価に税金を含まないことを意味する外税、および、前記税区分の１種であって課税されないことを意味する非課税、のうち少なくとも２種類の前記税区分と、１種類以上の税率と、前記税区分および税率の組み合わせごとに異なる識別子と、が関連付けて記憶された税マスタから情報を取得する税情報取得手段と、
商品を特定する商品情報と、商品の単価と、当該単価に合致する前記税区分および税率と関連付けられた前記識別子と、が関連付けて記憶された商品マスタから情報を取得する商品情報取得手段と、
前記ショッピングサイトの商品紹介画面に表示させる商品の１つあたりの価格として、税金を含んだ数値および税金を含まない数値の両方または一方を表示させるための指定を、入力エリアの任意の位置への編集操作により受け付ける売価表示設定手段と、
前記商品紹介画面の表示にあたって、商品の１つあたりの価格を、前記売価表示設定手段が受け付けた指定と、前記商品情報取得手段が取得した情報のうち単価および前記識別子と、前記税情報取得手段が取得した情報とに基づいて算出する売価算出手段と、
を備える商品データ設定システム。
【請求項６】
ショッピングサイトを提供する商品データ設定システムで実行される価格表示設定方法であって、
税区分の１種であって商品の単価に税金を含むことを意味する内税、前記税区分の１種であって商品の単価に税金を含まないことを意味する外税、および、前記税区分の１種であって課税されないことを意味する非課税、のうち少なくとも２種類の前記税区分と、１種類以上の税率と、前記税区分および税率の組み合わせごとに異なる識別子と、が関連付けて記憶された税マスタから情報を取得する税情報取得ステップと、
商品を特定する商品情報と、商品の単価と、当該単価に合致する前記税区分および税率と関連付けられた前記識別子と、が関連付けて記憶された商品マスタから情報を取得する商品情報取得ステップと、
前記ショッピングサイトの商品紹介画面に表示させる商品の１つあたりの価格として、税金を含んだ数値および税金を含まない数値の両方または一方を表示させるための指定を、入力エリアの任意の位置への編集操作により受け付ける売価表示設定ステップと、
前記商品紹介画面の表示にあたって、商品の１つあたりの価格を、前記売価表示設定ステップが受け付けた指定と、前記商品情報取得ステップが取得した情報のうち単価および前記識別子と、前記税情報取得ステップが取得した情報とに基づいて算出する売価算出ステップと、
を含む価格表示設定方法。
【手続補正２】
【補正対象書類名】明細書
【補正対象項目名】発明の名称
【補正方法】変更
【補正の内容】
【発明の名称】サーバ装置、プログラム、商品データ設定システムおよび価格表示設定方法
【手続補正３】
【補正対象書類名】明細書
【補正対象項目名】０００１
【補正方法】変更
【補正の内容】
【０００１】
本発明の実施形態は、サーバ装置、プログラム、商品データ設定システムおよび価格表示設定方法に関する。
【手続補正４】
【補正対象書類名】明細書
【補正対象項目名】０００６
【補正方法】変更
【補正の内容】
【０００６】
実施形態のサーバ装置は、ショッピングサイトを提供するものであって、税情報取得手段と、商品情報取得手段と、売価表示設定手段と、売価算出手段とを備える。税情報取得手段は、税区分の１種であって商品の単価に税金を含むことを意味する内税、前記税区分の１種であって商品の単価に税金を含まないことを意味する外税、および、前記税区分の１種であって課税されないことを意味する非課税、のうち少なくとも２種類の前記税区分と、１種類以上の税率と、前記税区分および税率の組み合わせごとに異なる識別子と、が関連付けて記憶された税マスタから情報を取得する。商品情報取得手段は、商品を特定する商品情報と、商品の単価と、当該単価に合致する前記税区分および税率と関連付けられた前記識別子と、が関連付けて記憶された商品マスタから情報を取得する。売価表示設定手段は、前記ショッピングサイトの商品紹介画面に表示させる商品の１つあたりの価格として、税金を含んだ数値および税金を含まない数値の両方または一方を表示させるための指定を、入力エリアの任意の位置への編集操作により受け付ける。売価算出手段は、前記商品紹介画面の表示にあたって、商品の１つあたりの価格を、前記売価表示設定手段が受け付けた指定と、前記商品情報取得手段が取得した情報のうち単価および前記識別子と、前記税情報取得手段が取得した情報とに基づいて算出する。
【手続補正５】
【補正対象書類名】明細書
【補正対象項目名】０００７
【補正方法】変更
【補正の内容】
【０００７】
実施形態のプログラムは、ショッピングサイトを提供するサーバ装置のコンピュータを、税情報取得手段と、商品情報取得手段と、売価表示設定手段と、売価算出手段と、として機能させる。税情報取得手段は、税区分の１種であって商品の単価に税金を含むことを意味する内税、前記税区分の１種であって商品の単価に税金を含まないことを意味する外税、および、前記税区分の１種であって課税されないことを意味する非課税、のうち少なくとも２種類の前記税区分と、１種類以上の税率と、前記税区分および税率の組み合わせごとに異なる識別子と、が関連付けて記憶された税マスタから情報を取得する。商品情報取得手段は、商品を特定する商品情報と、商品の単価と、当該単価に合致する前記税区分および税率と関連付けられた前記識別子と、が関連付けて記憶された商品マスタから情報を取得する。売価表示設定手段は、前記ショッピングサイトの商品紹介画面に表示させる商品の１つあたりの価格として、税金を含んだ数値および税金を含まない数値の両方または一方を表示させるための指定を、入力エリアの任意の位置への編集操作により受け付ける。売価算出手段は、前記商品紹介画面の表示にあたって、商品の１つあたりの価格を、前記売価表示設定手段が受け付けた指定と、前記商品情報取得手段が取得した情報のうち単価および前記識別子と、前記税情報取得手段が取得した情報とに基づいて算出する。